(57)【要約】【課題】  クロスが貼られていて粘着テープなどの使用が困難な出隅部であっても、これに傷を付けることなく効果的に保護でき、取り付けや取り外しが簡単である出隅部保護材を提供する。【解決手段】  長尺で長手方向に沿って折曲した添設部１１と、該添設部１１の少なくとも一方の端部に形成された開脚部１２ａ，１２ｂとを備えた出隅部保護材１０である。これに複数の貫通孔１３を穿孔することにより、これを長期設置した場合でも、出隅部Ｄと保護材１０との間に湿気がこもらないようにでき、出隅部Ｄにカビが発生しにくい。【選択図】    図１
2006052585.tif 000002
【特許請求の範囲】
【請求項１】
長尺で長手方向に沿って折曲した添設部と、該添設部の少なくとも一方の端部に形成された開脚部とを備えたことを特徴とする出隅部保護材。
【請求項２】
複数の貫通孔が穿孔されていることを特徴とする請求項１に記載の出隅部保護材。
【発明の詳細な説明】
【技術分野】
【０００１】
本発明は、建築物の出隅部を保護するための出隅部保護材に関する。
【背景技術】
【０００２】
建築物には、壁面が突き出るように折曲した出隅部が多く存在し、そのうち建築物内の出隅部には、建築業者などの運搬物や携帯物がぶつかりやすく、傷つきやすい。特に、建築物の内壁にクロスが貼られた後に、例えば内装業者がその携帯物などを出隅部にぶつけて傷つけてしまうと、クロスの貼り直しが必要となる場合が多く、工期、コストなどの面から問題である。
そこで従来は、合板などを適当な大きさにカットし、それを出隅部の前に立て掛けるなどして仮置し、出隅部を保護していた。
【発明の開示】
【発明が解決しようとする課題】
【０００３】
しかしながら、クロス貼りが終了し建築物の完成が近づいた工期の終盤で、合板などの大物を建築物内に持ち込むことは、廃棄物の増加につながるため好ましくない。また、各種養生材を使用する方法も考えられるが、その場合には、粘着テープで養生材を出隅部に固定せざるを得ず、粘着テープの貼着跡やクロスの損傷などを考慮すると、クロスが貼られた後の出隅部にこの方法を適用することは不適切であった。
【０００４】
本発明は上記事情に鑑みてなされたもので、クロスが貼られていて粘着テープなどの使用が困難な出隅部であっても、これに傷を付けることなく効果的に保護でき、取り付けや取り外しが簡単である出隅部保護材を提供することを課題とする。
【課題を解決するための手段】
【０００５】
本発明の出隅部保護材は、長尺で長手方向に沿って折曲した添設部と、該添設部の少なくとも一方の端部に形成された開脚部とを備えたことを特徴とする。
この出隅部保護材には、複数の貫通孔が穿孔されていることが好ましい。
【発明の効果】
【０００６】
本発明の出隅部保護材によれば、クロスが貼られ粘着テープの貼着が困難な出隅部であっても、これに傷を付けることなく効果的に保護でき、取り付けや取り外しが簡単である。
【発明を実施するための最良の形態】
【０００７】
以下、本発明について図面を用いて詳細に説明する。
図１は、本発明の一実施形態例である出隅部保護材（以下、保護材という。）１０が、出隅部Ｄの前方に配置され、この出隅部Ｄを保護している状態を示すものである。
この保護材１０は、長尺で長手方向に沿って折曲した形状を有し、出隅部Ｄに添ってこれを保護する樹脂製の添設部１１と、この添設部１１の一方の端部に形成され、この保護材１０を支持する開脚部１２ａ，１２ｂとを備えて構成されている。図中符号１４は粘着テープであり、開脚部１２ａ，１２ｂをそれぞれ床面Ｙに固定している。また、この例の保護材１０においては、一方の面から他方の面に貫通する多数の貫通孔１３が穿孔されている。
【０００８】
この例の保護材１０は、例えば図２（ａ）に示すような、断面Ｌ字状の長尺物２０に切り込みを入れるとともに、折曲することにより形成できる。この長尺物２０は、多数の貫通孔１３が穿孔された厚さ（ｄ）０．５〜１．５ｍｍ、幅（ｗおよびｗ’）３０〜１００ｍｍの２つの板状体２１，２２が境界線２３を介して連続した、長さ（ｌ）１．６ｍのＰＥＴ押出成形品である。
具体的には、この長尺物２０における境界線２３を、図２（ｂ）に示すように、一方の端部から例えば１０ｃｍ程度切り込んで切り込み部２４を形成し、２つの板状体２１，２２を部分的に分断する。
ついで、図２（ｃ）に示すように、この分断により形成された２片２１ａ，２２ａを、それぞれ図示のように前方に折り曲げる。
その結果、このように折り曲げられた部分が開脚部１２ａ，１２ｂとなり、この開脚部１２ａ，１２ｂに連続して断面Ｌ字状の添設部１１が形成された、図１に示す保護材１０が得られる。なお、ここで２片２１ａ，２２ａを折り曲げやすいように、あらかじめ折り曲げ箇所に沿う溝を形成するなどの加工を施しておいてもよい。
【０００９】
このような保護材１０によれば、添設部１１の一方の端部に、これを支持する開脚部１２ａ，１２ｂが形成されているので、図１に示すように、この保護材１０を出隅部Ｄの前方の床面Ｙ上に、添設部１１を出隅部Ｄに添えるように設置するだけで、出隅部Ｄを保護できる。よって、添設部１１と出隅部Ｄとを粘着テープで固定するなど、他の固定手段を使用する必要がなく、保護材１１の取り付け作業が実質的に不要である。また、保護材１０の取り外しも同様に不要であり、その際出隅部Ｄに粘着テープの貼着跡を残したり、クロスを損傷するなどの不都合も生じない。なお、床面Ｙには、通常、内装材は施工されていないので、その場合には、必要に応じて、図１に示すように、開脚部１２ａ，１２ｂを床面Ｙに粘着テープ１４で固定することが好ましい。
【００１０】
また、この例で開脚部１２ａ，１２ｂは、図２に示したように、樹脂からなる板状体２１，２２の下端がそれぞれ折り曲げて形成されたものであるので、図１中αで示す角度（押え角）が大きくなる方向に作用する力、すなわち反発力を有している。その結果、この保護材１０を図１のように配置した場合、添設部１１が出隅部Ｄにより近づくような力が作用し、保護材１０を配置している間中、確実に出隅部Ｄに添い、これを保護することができる。さらに、例えば図３に示すように、出隅部Ｄ’の下端に巾木Ｈが形成されていて、出隅部Ｄ’において巾木Ｈの形成されている部分と、それ以外の部分とに若干の段差がある場合でも、このような反発力により、添設部１１がそのような段差を吸収するように、下方から上方にむけて徐々に出隅部Ｄ’に接近するように添い、これを保護することができる。また、例えば、このような段差が比較的大きく、上述の反発力をより大きく作用させたい場合には、通常、略９０°とされる図１中βで示す角度（開き角）を若干小さく９０°未満とした状態で開脚部１２ａ，１２ｂを粘着テープ１４で固定するなどして、反発力が大きくなるように調整することもできる。
【００１１】
また、このように保護材１０が樹脂製であると、軽量で運搬しやすく作業性に優れるうえ、破損しにくく、繰り返し使用することもできる。また、この保護材１０を運搬する際には、開脚部１２ａ，１２ｂを容易に閉じて図２（ｂ）のようなコンパクトな形態にすることができる。一方、作業者がこれを使用する際には、現場で開脚部１２ａ，１２ｂを広げるだけでよいので、使用性にも優れている。
【００１２】
この保護材１０を形成する樹脂としては特に制限はなく、ＰＶＣ、ＡＢＳ、ＰＰ、ＰＥなど、ＰＥＴ以外の樹脂を使用してもよい。また、保護材１０は、断面Ｌ字状の押出成形品から製造されたものに限定されず、例えば、樹脂製平板を加工して製造されたものであってもよい。
さらに、保護材１０の厚さは、この保護材１０が自立性を備え、添設部１１が出隅部Ｄに添ってこれを保護可能である限り制限はないが、０．５〜１．５ｍｍ程度の厚さであれば、加工性に優れるうえ自立性も備え、さらには上述の反発力も発現でき好ましい。
なお、この保護材１０は樹脂以外の材料から形成されてもよく、例えば段ボール紙から形成されてもよい。
【００１３】
また、この例の保護材１０には、一方の面から他方の面に貫通する貫通孔１３が複数形成されているので、この保護材１０を、例えば１ケ月以上の長期にわたって出隅部Ｄの前方に配置しておく場合でも、保護材１０と出隅部Ｄとの間に湿気がこもることなく、添設箇所におけるカビの発生などを防ぐこともできる。貫通孔１３の大きさ、形状、形成密度などに制限はなく、使用環境などに応じて適宜設定できる。
【００１４】
保護材１０の長さには制限はなく、保護対象である出隅部Ｄに応じて適宜設定できるが、出隅部Ｄのうち物品などがぶつかって傷つきやすいのは、一般に高さ１．５ｍ程度までである。よって、通常は、添設部１１の長さが１．５ｍ程度となるようにこれを形成すればよい。また、図４に示すように、高さが例えば３ｍ程度である出隅部Ｄ”を全長にわたって保護する必要がある場合には、２つの保護材１０を組み合わせて使用することもできる。その場合には、一方の保護材１０の開脚部１２ａ，１２ｂを床面Ｙに粘着テープ１４で固定し、２つの保護材１２ａ，１２ｂを粘着テープ１４で連結することにより、それぞれの添設部１１が確実に出隅部Ｄ”に添うように配置することが好ましい。
【００１５】
また、以上の例においては、図２に示すように、２つの板状体２１，２２の幅ｗおよび幅ｗ’が同じである長尺物２０を使用して、この保護材１０を形成しているが、２つの板状体の幅ｗと幅ｗ’とが異なる長尺物２０から形成してもよく、保護材１０を配置する出隅部の形状などに応じて設計することができる。
【図面の簡単な説明】
【００１６】
【図１】本発明の一例である保護材を、出隅部Ｄの前方に配置した状態を示す斜視図である。
【図２】図１で使用された保護材の製造方法を示す斜視図である。
【図３】図１で使用された保護材を他の出隅部Ｄ’の前方に配置した状態を示す斜視図である。
【図４】図１で使用された保護材を２つ使用して、他の出隅部Ｄ”を保護している状態を示す斜視図である。
【符号の説明】
【００１７】
１０    出隅部保護材
１１    添設部
１２ａ，１２ｂ  開脚部
１３    貫通孔
【図１】
2006052585.tif 000003
【図２】
2006052585.tif 000004
【図３】
2006052585.tif 000005
【図４】
2006052585.tif 000006